(57)【要約】【課題】本発明は、各々の商品の値段が認識できる値札を設置する面と、商品を照らす照明装置を設置出来る面とが一定の角度を有して一体とされた値札スタンドを提供することを目的とした。【解決手段】値札を設置可能な情報提示面２と、光源６を備えた照明装置４を設置可能な照明取付面３とが一定の角度を有して一体とされた値札スタンド１であって、前記情報提示面２は、値札の取付け、変更が可能であり、前記照明取付面３は、照明装置４が有する光源６の光軸Ｌに交差するように構成されている。【選択図】図２
2009175542.tif 000002
【特許請求の範囲】
【請求項１】
値札を設置可能な情報提示面と、光源を備えた照明装置を設置可能な照明取付面とが一定の角度を有して一体とされた値札スタンドであって、前記情報提示面は、値札の取替えが可能であり、照明装置が備える前記光源の光軸が、前記照明取付面に対して交差する方向に向くように照明装置を設置可能であることを特徴とする値札スタンド。
【請求項２】
前記照明取付面には湾曲部があり、当該湾曲部に沿って照明装置をスライド可能であることを特徴とする請求項１に記載の値札スタンド。
【請求項３】
前記照明取付面には、照明装置が取り付けられ、照明装置と照明取付面との間隔を調整可能な調整部材を有することを特徴とする請求項１又は２に記載の値札スタンド。
【発明の詳細な説明】
【技術分野】
【０００１】
本発明は、値札と照明装置とを設置する面が、一定の角度を有して一体とされた値札スタンドに関するものである。
【背景技術】
【０００２】
従来、商品に値札を提示する場合は、各々の商品の傍に値札を保護する値札ケース及び値札を備えた値札スタンドなるものを一般的に設置している。また同時に、商品の魅力を引き立たせるための照明を、値札スタンドとは離れた位置から用いる事も一般的である。
【０００３】
例えば、商品よりも上部に設置できるような値札スタンドがある。特許文献１には、商品の周囲が見やすく、値札の差し入れが早く済むようにした値札スタンドが開示されている。
【特許文献１】特開２００４−４６０４２号公報
【発明の開示】
【発明が解決しようとする課題】
【０００４】
ところが、従来のこのような値札スタンドでは、照明装置が別途必要であった。つまり商品の値段と商品自体を認識させるために、値札スタンドの設置スペース及び商品を照らす照明装置の設置スペースを各々に必要とし、無駄なスペースを設ける必要があった。
【０００５】
そこで本発明は、値札を設置する面と、商品を照らす照明装置を設置する面を一体とすることで、無駄な設置スペースを必要としない値札スタンドを提供することを課題とする。
【課題を解決するための手段】
【０００６】
上記課題を解決するため、請求項１の発明は、値札を設置可能な情報提示面と、光源を備えた照明装置を設置可能な照明取付面とが一定の角度を有して一体とされた値札スタンドであって、前記情報提示面は、値札の取替えが可能であり、照明装置が備える前記光源の光軸が、前記照明取付面に対して交差する方向に向くように照明装置を設置可能であることを特徴とした。
【０００７】
請求項１の値札スタンドは、値札を設置可能な情報提示面と照明装置を設置可能な照明取付面とが一定の角度を有することで、大きさが最小限の構成となる。また情報提示面と照明取付面とが一体とされることで最小限の設置スペースでよく、最適な角度で人が値札を確認できる。さらに照明装置は、光源の光軸が照明取付面に対して交差する方向に向くように設置するので、最適な角度で商品に照明を照らすことが出来る。
【０００８】
請求項２の発明は、請求項１の発明において、前記照明取付面には湾曲部があり、当該湾曲部に沿って照明装置をスライド可能であることを特徴とした。
【０００９】
請求項２の値札スタンドは、照明取付面において湾曲部を有し、当該照明取付面をスライド出来るのでるので、商品に対して所望の角度で光を当てることができる。
【００１０】
請求項３の発明は、請求項１又は２の発明において、前記照明取付面には、照明装置が取り付けられ、照明装置と照明取付面との間隔を調整可能な調整部材を有することを特徴とした。
【００１１】
請求項３の値札スタンドは、照明装置と照明取付面との間隔を調整可能な調整部材を有するため、照明装置による商品への照射角度の微調整をすることができる。
【発明の効果】
【００１２】
本発明の値札スタンドは、各々の商品の値段が認識できる値札を設置する面と、商品を照らす照明装置を設置出来る面とが一定の角度を有して一体とされているため、スペースの無駄を省き、値段と商品の認識を十分にさせることができる。
【発明を実施するための最良の形態】
【００１３】
次に本発明の具体的実施形態について説明する。
以下特に断りのない限り、前後及び上下の位置関係については、図１に示すショーケースにおける、使用状態の値札スタンドを基準とし、人が見える値札側を前方、その反対の商品側を後方とする。また床に垂直方向を下方、その反対方向を上方とする。
【００１４】
図２に示すように本発明の実施形態の値札スタンド１は、複合体５を構成するものである。複合体５は、値札が提示でき、照明装置４が設置出来る値札スタンド１と、照明装置４とで構成されている。
【００１５】
値札スタンド１は、情報提示面２と照明取付面３を有している。値札スタンド１の外観は、略三角柱である。
【００１６】
情報提示面２は、外観が長方形状を有する。また図３が示すように正面には、値札ブロック１５の取付け及び取替え可能なブロック溝１１が設けられている。ブロック溝１１は、情報提示面２の短手側の略中央部にあり、両端側から長手方向に開口している。言い換えれば、溝でありながら長手方向に貫通している。情報提示面２の両端側から後に詳述する値札ブロック１５を差し込み、長手方向にスライド出来る構成となっている。またブロック溝１１の断面形状は、図１０に示すように後方に１つの頂点を有する略三角形である。
【００１７】
照明取付面３は、外観が長方形状を有する。照明取付面３は、図８に示すように下方に湾曲した形状も有している。すなわち情報提示面２側に向けて凸形状となるように湾曲している。また図４に示すように短手側であって、両サイドには貫通孔１２、１２が設けられている。貫通孔１２は、細長であって、短手方向に延びている。
【００１８】
また値札スタンド１における底面７は、図５に示すように、長方形状を有する。また短手側の両端に、それぞれ１つずつ配線孔１４が形成されている。配線孔１４は、円形状である。さらに配線孔１４，１４の間で、配線孔１４の近傍には、摩擦係数の大きいゴムなどが滑止部材２３として設けられている。
【００１９】
図１１に示すように値札ブロック１５は、略三角柱である。１つの値札ブロック１５には、２面の三角面１９，２０が存在し、それぞれは外部に突出した三角柱の突起部１７あるいは図１２に示すように、突起部１７が嵌り込む嵌合空間１８のどちらかが形成されている。また値札ブロック１５は、２つ以上が連なって表示する連結ブロックでもある。つまり値札ブロック１５が有するそれぞれの突起部１７、嵌合空間１８は、他の値札ブロック１５が有するそれぞれの嵌合空間１８、突起部１７と嵌り合う。また値札ブロック１５は、四角形の形状を有する面の内１面が、数字や記号などが外部に突出した表示部２１を有する。
【００２０】
照明装置４は、外観が図２に示すように、長手方向長さが照明取付面３の長手方向の長さと略同じ長さを有し、当該長手方向長さに垂直である奥行長さを有し、当該長手方向長さ及び奥行長さを有する面に垂直な長さを高さとして有する、略四角柱の形状である。前記奥行長さは、照明取付面３の短手方向の長さより短い。また前記高さは、後述する光源６である発光ダイオードを設置でき、配線が設置できる程度である。証明装置４には、多数の光源６が長手方向に一列に並べて設けられている。図６に示すように光源６の周囲は、円形状にくり抜かれた形状を有している。光源６の周囲のくり抜かれた深さは、照明装置４の高さに届かない程度である。また光源６には、発光ダイオードを用いている。図８に示すように光源６の光軸Ｌは、照明取付面３に対して交差する方向に向いている。具体的には照明取付面３に対して略直角である。また照明装置４は、短手側であって、両端側には照明取付面３に固定するための貫通孔１３、１３が設けられている。また図７に示すように照明装置４は、短手側であって、一側面には２つの配線穴２２、２２が形成されている。配線穴２２は、開口形状が四角形状である。配線穴２２，２２からは、マイナス端子を有する配線あるいはプラス端子を有する配線のどちらか１本が出てきており、一方がマイナス端子であれば、他方はプラス端子である。配線穴２２から延びた配線には、外部に延びた端部にコネクターが設けられている。
【００２１】
次に本実施形態の値札スタンド１の各部材間の組合せ構成について説明する。
【００２２】
図１０に示すように値札スタンド１が有する情報提示面２と、照明取付面３とは一定の角度を有している。前記角度は、値札スタンド１が有する底面７に対して垂直にならない程度に情報提示面２と、照明取付面３が傾斜を有しており且つ、情報提示面２と照明取付面３と底面７とが作り出す三角形の頂点の角度に鈍角が存在しない配置である。
【００２３】
照明装置４は、光源６として用いた発光ダイオードが設けられている面を底面とし、底面と向き合う面を天面とすると底面側が照明取付面３と接するように配置されている。さらに照明装置４が有する２つの貫通孔１３、１３と、照明取付面３が有する２つの貫通孔１２、１２とをそれぞれ重なり合う様に配置されている。さらに照明装置４が有するプラス端子、マイナス端子を有する配線は、値札スタンド１の底面７に設けられた配線孔１４を通り、配線に設けられたコネクターが電源に接続されている。
【００２４】
また図９に示すように、照明装置４と、照明取付面３とを固定するため、照明装置側４からビスを配置し、照明設置面３であって、前記ビスのねじ部が突出する側にワッシャ及びナットを配置することで固定している。また照明装置４と照明取付面３との間であり、ビスが貫通する位置に調整部材１６であるスプリング部材が配置されている。また照明装置４は、照明取付面３が有する貫通孔１２の範囲内且つ、照明取付面３上を短手方向にスライドでき、所望の位置に固定される。
【００２５】
本実施形態の値札スタンド１は、照明装置４を有した複合体５であり、値札ブロック１５の取付けおよび変更が容易な情報提示面２と、照明取付面３とが一定の角度を有した一体とされた構成である。そのため大きさの構成は最小限にすることができるため、人、商品それぞれに最適な角度を保つことができる。さらに照明取付面３においては、下方に湾曲した形状を有しており、当該照明取付面３と照明装置４との間には、調整部材により間隔が設けられている。また照明装置４に関しては、光源６に発光ダイオードを用いることで、紫外線に敏感な商品への熱照射を防ぐことができる。さらに発光ダイオードは点光源のため広い範囲を照らす蛍光灯などとは違い、対象となる商品そのものにスポット当てることに適している。そのため、本実施形態の値札スタンド１は、省スペースという限られた中でも設置できる。さらに情報提示面２は、人が見やすい最適な角度に設けることができ、照明取付面３に設置された照明装置４は、商品を最適な角度で照らすことができる。
【００２６】
上記実施形態の値札スタンド１では、底面を有する構成を示したが、本発明は、このような構成に限定されるわけではない。例えば、図１３に示すように値札スタンド１が備える情報提示面２と照明取付面３とはヒンジ５３で結合されており、情報提示面２あるいは照明取付面３のどちらか一方の短手側の両端に、半円状や四角形などの切り欠き５２を１つ以上有する角度調整板５０を取付け、もう一方の短手側の両端に、切り欠き５２を係合する長手方向の外部へ突出した突起部材５１を設ける。この構成であれば、情報提示面２と照明取付面３とが有する角度は、角度調整板５０が有する切り欠き５２の位置によって変えることが可能になり、底面を必要としない構成になる。しかしこのような構成であれば、角度を大きく変えることが可能となるが、情報提示面２を人が見やすい角度に保てない懸念がある。そのため、本発明では、そのような懸念を生じさせない構成であり、最適な構成と言える。
【００２７】
また上記実施形態の値札スタンド１において、図８に示すように側面形状は三角形である構成を示したが、本発明は、このような構成に限定されるわけではない。例えば、図１４に示すように側面形状が台形を示す構成であってもよい。その場合、本実施形態の値札スタンド１と変わらない効果を有する。しかし、本実施形態には存在しない天面を有するため部材費用が上がり費用対効果に差が出てくる。そのため、本発明では、そのような懸念を生じさせない構成であり、最適な構成と言える。
【００２８】
また上記実施形態の値札スタンド１において、情報提示面２が備えるブロック溝１１は、値札ブロック１５が嵌り込む側面形状が略三角形の空間を有する構成を示したが、本発明は、このような構成に限定されるわけではない。例えば、側面形状は円形や多角形であってもよい。その場合、側面形状に応じ値札ブロック１５の形状を形成することが好適である。また値札ブロック１５は、円形や多角形の切り欠きを有する形状であってもよい。その場合は、値札スタンド１における情報提示面２に、値札ブロック１５に形成した切り欠きに応じた前方に突出した突起部を、長手方向であって、長手方向の両端に平行に形成すると好適である。
【図面の簡単な説明】
【００２９】
【図１】値札スタンドの使用状態を示す斜視図。
【図２】値札スタンドを示す斜視図。
【図３】値札スタンドを示す正面図。
【図４】値札スタンドを示す背面図。
【図５】値札スタンドを示す底面図。
【図６】照明装置を示す正面図。
【図７】照明装置を示す側面図。
【図８】値札スタンドを示す側面図。
【図９】値札スタンドと照明装置の取付け状態を示す図２のＡ−Ａ拡大断面図。
【図１０】値札スタンドを示す図２のＢ−Ｂ断面図。
【図１１】値札ブロックを示す斜視図。
【図１２】値札ブロックを示す図１１のＣ方向側面図。
【図１３】値札スタンドの変形例を示す側面図。
【図１４】値札スタンドの変形例を示す側面図。
【符号の説明】
【００３０】
１    値札スタンド
２    情報提示面
３    照明取付面
４    照明装置
５    複合体
６    光源
１６    調整部材
【図１】
2009175542.tif 000003
【図２】
2009175542.tif 000004
【図３】
2009175542.tif 000005
【図４】
2009175542.tif 000006
【図５】
2009175542.tif 000007
【図６】
2009175542.tif 000008
【図７】
2009175542.tif 000009
【図８】
2009175542.tif 000010
【図９】
2009175542.tif 000011
【図１０】
2009175542.tif 000012
【図１１】
2009175542.tif 000013
【図１２】
2009175542.tif 000014
【図１３】
2009175542.tif 000015
【図１４】
2009175542.tif 000016